(57)【要約】      （修正有）【課題】釦操作回数が比較的に少なく簡単に所望の位置へカーソルを移動させることの出来るデータ入力システムを構築する。【解決手段】リモートコントローラーに常設される中心軸および前後左右釦に加えて、それら前後左右ボタンの近傍に特定移動操作釦を設ける。【選択図】図４
2005328211.tif 000002
【特許請求の範囲】
【請求項１】
映像および／または音声信号を入力し、識別データ編集画面におけるカーソル移動と決定等のリモートコントローラー操作の複数の組み合わせによってタイトル名等の識別データ編集を施した後、前記識別データを記録媒体に記録する記録および／または再生機器に用いられるデータシステムであって、前記識別データ編集画面が複数の文字や記号等の行と列から成る段の複数で構成され、前記段は横方向および縦方向に配列され、横方向に配列された全段の１行当たりの文字数の合計は縦方向に配列された全段の１列当たりの文字数の合計の少なくとも２倍の文字数を有し、現在選択されている文字を示すカーソルを表示し、前記リモートコントローラーの操作に基づいて前記カーソルの位置を制御し、また前記リモートコントローラーは少なくとも決定釦と、前記決定釦の前後左右に位置する各方向を指示する方向釦である上／下／左／右釦と、前記方向釦の近傍に位置する行頭釦および／または行末釦とを有し、前記行頭釦または前記行末釦の押下に従って前記カーソルはそれぞれ所定の終端部に移動しカーソル位置決定待機状態となり、次に終端方向と異なる方向釦が押下されると該釦指示方向へカーソル移動しカーソル位置決定状態となることを特徴とするデータ入力システム。
【請求項２】
前記行頭釦は、前記左釦の左近傍に位置し、また前記行末釦は、前記右釦の右近傍に位置することを特徴とする請求項１に記載のデータ入力システム。
【請求項３】
前記カーソル位置決定待機状態の背景画像を、前記カーソル位置決定状態の背景画像とは異なるようにすることを特徴とする請求項１または２に記載のデータ入力システム。
【請求項４】
映像および／または音声信号を入力し、識別データ編集画面におけるカーソル移動と決定等のリモートコントローラー操作の複数の組み合わせによってタイトル名等の識別データ編集を施した後、前記識別データを記録媒体に記録する記録および／または再生機器に用いるデータ入力システムであって、リモートコントローラーに、中心釦と前記中心釦の前後左右それぞれに少なくとも１個以上配置される操作釦を備え、前記通常のカーソル移動を行なう前後左右に位置するそれぞれ１個の操作釦に加えてその近傍に少なくとも１個以上の特定移動操作釦を設け、前記識別データ編集画面は、複数の行と列から成る段と、前記段を縦横に複数配置する事から構成され、前記リモートコントローラーによって識別データを入力するために、前記識別データ編集画面上に現在選択されている文字を示すカーソルと、前記カーソルの位置を制御し、前記特定移動操作釦を押下し続けることによって、カーソル移動速度が押下する時間に従って、前記特定移動操作釦の示す方向にカーソルの移動速度が加速されることを特徴とするデータ入力システム。
【発明の詳細な説明】
【技術分野】
【０００１】
本発明は、ビデオ録画再生機、DVDプレーヤー、DVDレコーダー、HDDレコーダーおよびこれら一つまたはそれ以上を内蔵する複合製品等の電子機器における記録データに対する名称を入力するシステムに関する。
【背景技術】
【０００２】
従来、この種の技術としては、文書書式情報に基づいて表示手段の編集画面に表示される段に対して文書編集を行なう文書処理方法において、編集画面上でカーソルが指示する行の行頭または行末への移動を指示する指示キーの押下状態に基づいて前記カーソルを隣接する段の同一行または隣接行の行頭または行末への移動表示を制御することを特徴とする文書処理方法が知られている（特許文献１参照。）。
【特許文献１】特許出願公開番号  特開平5-135049
【発明の開示】
【発明が解決しようとする課題】
【０００３】
従来技術では文書入力等による段編集作業において、隣の段の行頭および行末へカーソル移動するのに、キーボード上に行頭キーおよび行末キーを必要としていた。一方、映像記録機器や映像再生装置のような、一般的にリモートコントローラーを用いて制御を行なう機器においては、リモートコントローラー上に通常の前後上下釦しか無く、記録したデータにファイル名等を入力する為のデータ編集画面での編集のために、釦操作の回数がどうしても多くなる問題点があり、文字入力の効率を少しでも改善する事で時間短縮をはかる必要があった。
【０００４】
本発明は、上記の問題点を緩和するためになされたもので、リモートコントローラーに常設される中心釦および前後左右釦に加えて、それら前後左右ボタンの近傍に特定移動操作釦を設けることにより、釦操作回数が比較的に少なく簡単に所望の位置へカーソルを移動させることの出来るデータ入力システムを構築する事を目的とする。
【課題を解決するための手段】
【０００５】
上記目的を達成するため、映像および／または音声信号を入力し、識別データ編集画面におけるカーソル移動と決定等のリモートコントローラー操作の複数の組み合わせによってタイトル名等の識別データ編集を施した後、前記識別データを記録媒体に記録する記録および／または再生機器に用いられるデータシステムであって、前記識別データ編集画面が複数の文字や記号等の行と列から成る段の複数で構成され、前記段は横方向および縦方向に配列され、横方向に配列された全段の１行当たりの文字数の合計は縦方向に配列された全段の１列当たりの文字数の合計の少なくとも２倍の文字数を有する。
【０００６】
また、現在選択されている文字を示すカーソルを表示し、前記リモートコントローラーの操作に基づいて前記カーソルの位置を制御し、また前記リモートコントローラーは少なくとも決定釦と、前記決定釦の前後左右に位置する各方向を指示する方向釦である上／下／左／右釦と、前記方向釦の近傍に位置する行頭釦および／または行末釦とを有し、前記行頭釦または前記行末釦の押下に従って前記カーソルはそれぞれ所定の終端部に移動しカーソル位置決定待機状態となり、次に終端方向と異なる方向釦が押下されると該釦指示方向へカーソル移動しカーソル位置決定状態となることを特徴とするデータ入力システム。当然のことながら、縦方向に配列された全段の1列当たりの文字数が、横方向に配列された全段の1行当たりの文字数の少なくとも2倍の文字数を有する場合には、列頭釦および列末釦にて同様の効果を得られる。
【０００７】
前記行頭釦の押下に従って前記カーソルは最も左の段の最も左の列に移動しカーソル位置決定待機状態となり、次に前記左釦以外の方向釦が押下されると前記左釦以外の方向釦指示方向へカーソル移動しカーソル位置決定状態となり、また前記行頭釦の押下後、左釦が押下されるとカーソルが元あった段の最も左の列に移動しカーソル位置決定待機状態となり、続いて左釦が押下される毎に左隣の段の最も左の列に移動しカーソル位置決定待機状態となり、前記カーソル位置決定待機状態は左釦以外の方向釦、または決定釦が押下されるまで維持される。
【０００８】
一方前記行末釦の押下に従って前記カーソルは最も右の段の最も右の列に移動しカーソル位置決定待機状態となり、次に右釦以外の方向釦が押下されると前記右釦以外の方向釦指示方向へカーソル移動しカーソル位置決定状態となり、右釦が押下されるとカーソルが元あった段の最も右の列に移動しカーソル位置決定待機状態となり、続いて右釦が押下される毎に右隣の段の最も右の列に移動しカーソル位置決定待機状態となり、前記カーソル位置決定待機状態は右釦以外の方向釦、または決定釦が押下されるまで維持されることにより、簡単でかつ少ない釦操作回数で所望の位置へカーソルを移動させることが出来る。
【０００９】
また、別の形態では、リモートコントローラーに、中心釦と前記中心釦の前後左右それぞれに少なくとも１個以上配置される操作釦を備え、前記通常のカーソル移動を行なう前後左右に位置するそれぞれ１個の操作釦に加えてその近傍に少なくとも１個以上の特定移動操作釦を設け、前記識別データ編集画面は、複数の行と列から成る段と、前記段を縦横に複数配置する事から構成され、前記リモートコントローラーによって識別データを入力するために、前記識別データ編集画面上に現在選択されている文字を示すカーソルと、前記カーソルの位置を制御し、前記特定移動操作釦を押下し続けることによって、カーソル移動速度が押下する時間に従って、前記特定移動操作釦の示す方向にカーソルの移動速度が加速されることを特徴とするデータ入力システムを供給する。
【発明の効果】
【００１０】
以上説明したように、請求項1にかかる発明によれば、行頭および行末釦に段を飛び越えて最も左の段の最も左の列、もしくは最も右の段の最も右の列にカーソルを移動させる機能を持たせる事により、リモートコントローラーのような限られたキー数からのデータ入力効率を上げることが出来る。
請求項２に係る発明によれば、前記行頭釦は前記左釦の左近傍に位置し、また前記行末釦は前記右釦の右近傍に位置しているため、違和感無く操作できる。
請求項３に係る発明によれば、カーソル位置決定待機状態のカーソルの背景画像を、カーソル位置決定状態のカーソルの背景画像と異なるようにすることで、操作者に一目でカーソル位置決定待機状態であるか、カーソル位置決定状態にあるかを知らしめる事が可能となる。
請求項４に係る発明によれば、前記特定移動操作釦の押下し続けることによって、押下する時間に従って前記特定移動操作釦の示す方向にカーソルの移動速度が加速されるため、文字入力の効率をさらに向上させる事が出来る。
【発明を実施するための最良の形態】
【００１１】
以下、本願発明の第１の実施形態について図を参照して説明する。
図1は、本発明に係るシステムを、ハードディスクレコーダーを例にしたブロック図である。リモコン１から発信された識別データ編集画面を表示させる為の信号がリモコン受光機２により受信され、識別データ編集画面をスーパーインポーズ表示される場合は、CPU３内にあるOSDメモリー４に蓄積された識別データ編集画面の画像データと、再生切替部７を介して送信されたハードディスク５に記録された画像データがデコーダ8でデコードおよび重畳され、D/Aコンバーター9によりアナログ信号に変換され、映像信号がテレビ10に入力され、識別データ編集画面がテレビ画面上に映し出される。また、スーパーインポーズではなく、識別データ編集画面のみを出力する場合は、ハードディスク５からの画像データを再生切替部７で遮断することにより、CPU３内のOSDメモリー４に蓄積された識別データ編集画面の画像データのみをデコーダ８でデコードし、次にD/Aコンバーター９によりアナログ信号に変換され、映像信号がテレビ10に入力される。
【００１２】
図２は、本願発明の第１の実施形態に係るフローチャート図である。
【００１３】
図４は本願発明の実施形態に係るリモートコントローラーの釦配置図を示したものである。中央に決定釦２１、その決定釦２１の右近傍に右釦２０、左近傍に左釦１９、上近傍に上釦１７、下近傍に下釦１８が配置され、更に右釦２０の右近傍に行末釦１６、左釦１９の左近傍に行末釦１５が配置されている。
【００１４】
図５は、本願発明に係るファイル名入力画面である。従来のファイル名入力画面は、ひらがな、カタカナ、アルファベット等のカテゴリー毎に画面表示を切り替えなければ成らないという煩わしさがあったが、本願発明によれば、行頭釦および行末釦を用いることにより、前記カテゴリーを一度に画面表示し文字入力編集を効率的に行なう事を可能にしている。実際の検証において図４の識別データ編集画面において、行の端から端つまり小文字「お」から「あ」へカーソルを左釦で移動させた場合、約４秒かかり、行頭釦を用いれば１秒以内で移動させる事が出来る。この事からも本願が如何に文字入力を効率化しているかがわかる。
【００１５】
以降、図２および図４を参照して、本願発明の動作手順を説明する。行頭釦１５が押下されているかを確認し（Ｓ１）、YESであれば最も左の段の最も左の列に移動し（Ｓ２）、カーソル位置決定待機状態にし、またカーソルの背景画像を変え（Ｓ３）、左釦１９以外の方向釦が押下されたか判断し（Ｓ４）、YESであれば行頭釦１５押下後、最初の左釦１９が押下されたかを判断し（Ｓ５）、NOであれば左隣の段の行頭にカーソルを移動し（Ｓ６）、Ｓ４に戻る。
また、Ｓ４でNOの場合、カーソルを移動し（Ｓ１７）、カーソル位置を決定状態にする（Ｓ１８）。
また、Ｓ５でYESの場合、元あった段の行頭にカーソル移動し（Ｓ７）、カーソル位置を待機状態にし（Ｓ８）、Ｓ４に戻る。
次にＳ１でNOの場合、行末釦１６が押下されたかを判断し（Ｓ９）、YESであればカーソルを最も右の段の最も右の列に移動し(Ｓ１０)、カーソル位置を待機状態にし、またカーソルの背景画像を変え（Ｓ１１）、右釦２０以外の方向釦が押下されたかを判断し（Ｓ１２）、NOの場合、行末釦１６が押下されて最初に右釦２０が押下されたかを判断し（Ｓ１３）、NOの場合右隣の段の行末にカーソルを移動し（Ｓ１４）、Ｓ１２に戻る。
また、Ｓ１２でYESの場合、カーソルを移動し（Ｓ１７）、カーソル位置を決定状態にし、カーソルの背景画像を変える（Ｓ１８）。
また、Ｓ１３でYESの場合、カーソルを元あった段の行末に移動し（Ｓ１５）、カーソル位置を待機状態にし（Ｓ１６）、Ｓ１２に戻る。
ここでカーソル位置決定待機状態とは、行頭釦もしくは行末釦が押下された直後の状態で、次の動作、即ち左釦もしくは右釦が押下されるのを待機する状態のことをいい、またカーソル位置決定状態とは、前記左釦または右釦の操作がなされ、次に決定釦が押下されれば、文字が入力される状態のことをいう。
【００１６】
図５を参照して本発明のカーソルの動作一例を示すと、最初カーソルが“ぐ”の位置でカーソル位置決定状態に有る時、行頭釦１５を押下すると、カーソルは“あ”の位置でカーソル位置決定待機状態になる。次に下釦１８を2回押下すれば、カーソルは“さ”の位置でカーソル位置決定状態になる。一方、カーソル位置が“あ”でカーソル位置決定待機状態にある時から左釦１９を押下すると、最初にカーソルがあった段の最も左の列“が”でカーソル位置決定待機状態となり、続けて左釦１９を押下する毎に、“は”、“あ”と左隣段の最も左の列に移動し、カーソル位置決定待機状態となる。また、最初カーソルが“す”の位置でカーソル位置決定状態にあるとき、行末釦１６を押下すると、“ど”の位置でカーソル位置決定待機状態となり、次に右釦２０を押下すると最初にカーソルがあった段の最も右の列“そ”でカーソル位置決定待機状態となり、続けて右釦を押す毎に、“よ”、“ど”と右隣の段の最も右の列でカーソル位置決定待機状態となる。
【００１７】
次に、本発明の第２の実施形態の動作手順をを図３及び図４を参照して説明する。
【００１８】
図３は、本願発明の第２の実施形態に係るフローチャート図である。
【００１９】
行頭釦15が押下されているかどうかを確認し（Ｓ１）、YESであれば左隣の列にカーソルを移動し（Ｓ２）、行頭釦15が長押しされているかどうかを確認し（Ｓ３）、YESならばカーソルの左への移動速度を加速し（Ｓ４）、再び行頭釦が長押しされているかを確認し（Ｓ５）、YESであればＳ４に戻る。Ｓ３にて、NOの場合（行頭釦押下を止める）は、カーソル位置を決定状態にする（Ｓ１１）。また、Ｓ５にてNOの場合もカーソル位置を決定状態にする（Ｓ１１）。Ｓ１にて、NOの場合、行末釦16が押下されているかどうかを確認し（Ｓ６）、YESであれば、右隣の列にカーソルを移動し（Ｓ７）、行末釦16が長押しされているかどうかを確認し（Ｓ８）、YESであればカーソルの右への移動速度を加速させ（Ｓ９）、再度行末釦16が長押しされているかどうかを確認する（Ｓ１０）。Ｓ８にて、NOの場合はカーソル位置を決定状態にし（Ｓ１１）、Ｓ１０にてNOの場合もカーソル位置を決定する（Ｓ１１）。また、Ｓ６にてNOの場合も、カーソル位置を決定状態にする（Ｓ１１）。
概して説明すれば、特定移動操作釦である行頭釦１５または行末釦１６を押下し続けると、その押下時間に従って、カーソルの移動速度が加速され、押下を止めた時点でカーソルは止り、カーソル位置決定状態となる。
【図面の簡単な説明】
【００２０】
【図１】本実施形態に係るシステムをハードディスクレコーダーを一例としたブロック図である。
【図２】本願発明の第１の実施形態に係るフローチャート図である。
【図３】本願発明の第２の実施形態に係るフローチャート図である。
【図４】本実施形態に係るリモートコントローラーの釦配置図である。
【図５】本実施形態に係るファイル名入力画面である。
【符号の説明】
【００２１】
１      ・・・・・  リモートコントローラー
２      ・・・・・  リモートコントローラー信号受信機
３      ・・・・・  CPU
４      ・・・・・  OSDメモリー
５      ・・・・・  ハードディスクドライブ
６      ・・・・・  RAM 
７      ・・・・・  再生切替部
８      ・・・・・  デコーダ
９      ・・・・・  D/A変換機
１０    ・・・・・  テレビジョン
１１    ・・・・・  アンテナ
１２    ・・・・・  テレビチューナ
１３    ・・・・・  A/D変換機
１４    ・・・・・  エンコーダ
１５    ・・・・・  行頭釦（特定移動操作釦）
１６    ・・・・・  行末釦（特定移動動作釦）
１７    ・・・・・  上釦
１８    ・・・・・  下釦
１９    ・・・・・  左釦
２０    ・・・・・  右釦
２１    ・・・・・  決定釦
【図１】
2005328211.tif 000003
【図２】
2005328211.tif 000004
【図３】
2005328211.tif 000005
【図４】
2005328211.tif 000006
【図５】
2005328211.tif 000007